(57)【特許請求の範囲】
【請求項１】
作業台と、この作業台の下面側に設けられて、ロール状に巻き付けられた梱包紙と、前記作業台に設けられて、前記ロール状の梱包紙を作業台上に引き出し可能とする引出口と、この引出口の近傍に設けられて、引き出される梱包紙に引出し方向に沿って所定深さでかつ被梱包物の幅とほぼ等しく離間する折曲用の切込みを入れる切込み手段とを備え、
前記引き出された梱包紙の先端部を前記被梱包物の上面に固定した状態で、該被梱包物を前記引出口を挟んで前記作業台の一方側から他方側へ移動させることによって、前記被梱包物に前記梱包紙を巻き付けるとともに、この梱包紙に前記切込み手段によって被梱包物の幅とほぼ等しく離間する折曲用の切込みを入れることを特徴とする梱包装置。
【請求項２】
請求項１に記載の梱包装置において、
前記切込み手段は、前記被梱包物の幅方向に離間し、かつ軸回りに回転可能に設けられた一対の円板状刃物を備えていることを特徴とする梱包装置。
【請求項３】
請求項２に記載の梱包装置において、
前記一対の円板状刃物は、その離間距離を調整可能に設けられていることを特徴とする梱包装置。
【請求項４】
請求項１〜３のいずれか一項に記載の梱包装置において、
前記作業台上の前記一方側と他方側のうちの少なくともいずれかの側には、前記被梱包物を移動可能とするローラが設けられていることを特徴とする梱包装置。
【請求項５】
請求項１〜４のいずれか一項に記載の梱包装置において、
前記作業台が、第１作業台と、第２作業台とで構成されており、
前記第２作業台に、前記梱包紙、前記引出口、前記切込み手段が設けられており、
前記被梱包物を、前記引出口を挟んで前記第１作業台から第２作業台に移動させることを特徴とする梱包装置。
【発明の詳細な説明】
【技術分野】
【０００１】
本発明は、家具等の被梱包物を梱包する際に使用する梱包装置に関する。
【背景技術】
【０００２】
被梱包物を梱包する方法の一例として、特許文献１に記載の技術が知られている。この梱包方法は、矩形状のダンボール等の梱包紙により筒状に製品を梱包するとともに、端部を内方に折り曲げて重ね、その後端部を貼着して形成することを特徴としている。
【特許文献１】特開平７−６１４０８号公報
【発明の開示】
【発明が解決しようとする課題】
【０００３】
ところが、上記の従来の梱包方法では、矩形状のダンボールを折り曲げ製品を筒状に梱包しているので、製品の長さより長い矩形状のダンボールを予め複数種類用意しておき、これら複数種類のダンボールから所定のダンボールを選択し、この選択されたダンボールの所定の位置に製品を載せるという手間がかかる。また、ダンボールに対する製品の載置位置がずれていた場合、製品を持ち上げてずれを補正する必要がありさらに手間がかかることになる。
【０００４】
本発明は上記事情に鑑みてなされたもので、被梱包物をダンボール等の梱包紙によって容易に梱包できる梱包装置を提供することを課題としている。
【課題を解決するための手段】
【０００５】
上記課題を解決するために、請求項１に記載の発明は、例えば図１〜図５に示すように、作業台１と、この作業台１の下面側に設けられて、ロール状に巻き付けられた梱包紙６と、前記作業台１に設けられて、前記ロール状の梱包紙６を作業台１上に引き出し可能とする引出口１５と、この引出口１５の近傍に設けられて、引き出される梱包紙６に引出し方向に沿って所定深さでかつ被梱包物Ｋの幅とほぼ等しく離間する折曲用の切込みＳを入れる切込み手段１０とを備え、
前記引き出された梱包紙６の先端部を前記被梱包物Ｋの上面に固定した状態で、該被梱包物Ｋを前記引出口１５を挟んで前記作業台１の一方側（例えば第１作業台２）から他方側（例えば第２作業台３）へ移動させることによって、前記被梱包物Ｋに前記梱包紙６を巻き付けるとともに、この梱包紙６に前記切込み手段１０によって被梱包物Ｋの幅とほぼ等しく離間する折曲用の切込みＳを入れることを特徴とする。
【０００６】
請求項１に記載の発明によれば、まず作業台１の一方側に被梱包物Ｋを載置したうえで、ロール状の梱包紙６を引出口１５から引き出してその先端部を被梱包物Ｋの上面に固定しておく。梱包紙６を引出口１５から引き出す際に、該梱包紙６には、切込み手段１０によって引出し方向に沿って所定深さでかつ被梱包物Ｋの幅とほぼ等しく離間する折曲用の切込みＳが入れられる。
次に、梱包紙６の先端部を被梱包物Ｋの上面に固定した状態で、該被梱包物Ｋを引出口１５を挟んで作業台１の一方側から他方側へ移動させる。すると、この被梱包物Ｋの移動にともなって、梱包紙６がさらに引き出されるとともに、この引き出された梱包紙６が被梱包物Ｋの一方の端面と下面とを被うように巻き付けられる。そして、さらに被梱包物Ｋを移動させることによって、被梱包物Ｋの他方の端面を被うに十分となるように梱包紙６を引き出す。また、このように梱包紙６を引き出す際に、該梱包紙６には、切込み手段１０によって引出し方向に沿って所定深さでかつ被梱包物Ｋの幅とほぼ等しく離間する折曲用の切込みＳが入れられる。
次に、引き出された梱包紙６の所定の位置をカッター等によって切断したうえで、この梱包紙６の端部で被梱包物Ｋの他方の端面を被うようにして、該梱包紙６の端部を被梱包物Ｋの上面の梱包紙６に、接着テープ等によって接着する。このようにして、被梱包物Ｋを容易に筒状に梱包できる。
そして、被梱包物Ｋを筒状に梱包した梱包紙６には、被梱包物Ｋの幅とほぼ等しく離間する折曲用の切込みＳが形成されているので、この切込みＳに沿って梱包紙６の縁部６ａを被梱包物Ｋの側面に向けて折り曲げ、これら折り曲げられた梱包紙６の縁部６ａどうしを、接着テープ１７等によって接着することによって、被梱包物Ｋの側面側の少なくとも縁部を梱包紙６の縁部６ａによって被うことができる。
このように、本発明によれば、ロール状の梱包紙６によって、異なる長さの被梱包物Ｋを容易に筒状に梱包できるとともに、被梱包物Ｋの側面側の少なくとも縁部を梱包紙６の縁部６ａによって容易に被うことができる。
【０００７】
請求項２に記載の発明は、請求項１に記載の梱包装置において、
前記切込み手段１０は、前記被梱包物Ｋの幅方向に離間し、かつ軸回りに回転可能に設けられた一対の円板状刃物１２，１２を備えていることを特徴とする。
【０００８】
請求項２に記載の発明によれば、切込み手段１０が一対の円板状刃物１２，１２を備えているので、梱包紙６を引き出す際に、円板状刃物１２，１２によって、折曲用の切込みを容易に連続的に形成することができる。
【０００９】
請求項３に記載の発明は、請求項２に記載の梱包装置において、
前記一対の円板状刃物１２，１２は、その離間距離を調整可能に設けられていることを特徴とする。
【００１０】
請求項３に記載の発明によれば、一対の円板状刃物１２，１２の離間距離を調整することによって、異なる幅の被梱包物Ｋに対して折曲用の切込みＳを入れることができる。
【００１１】
請求項４に記載の発明は、請求項１〜３のいずれか一項に記載の梱包装置において、
前記作業台１上の前記一方側と他方側のうちの少なくともいずれかの側には、前記被梱包物Ｋを移動可能とするローラ６が設けられていることを特徴とする
【００１２】
請求項４に記載の発明によれば、作業台１上の前記一方側と他方側のうちの少なくともいずれかの側に設けられたローラ６上を被梱包物Ｋが移動することによって、被梱包物Ｋを引出口１５を挟んで作業台１の一方側から他方側へ容易に移動させることができる。
【００１３】
請求項５に記載の発明は、請求項１〜４のいずれか一項に記載の梱包装置において、
前記作業台１が、第１作業台２と、第２作業台３とで構成されており、
前記第２作業台３に、前記梱包紙６、前記引出口１５、前記切込み手段１０が設けられており、
前記被梱包物Ｋを、前記引出口１５を挟んで前記第１作業台２から第２作業台３に移動させることを特徴とする。
【００１４】
請求項５に記載の発明によれば、第２作業台３に、梱包紙６、引出口１５、切込み手段１０が設けられているので、第１作業台２は被梱包物Ｋを載置できれば、どのような台でもよい。したがって、適当な台に、第２作業台３を隣接して設置するだけで、梱包装置を構成することができる。
【発明の効果】
【００１５】
本発明によれば、引き出された梱包紙の先端部を被梱包物の上面に固定した状態で、該被梱包物を引出口を挟んで前記作業台の一方側から他方側へ移動させることによって、被梱包物に前記梱包紙を巻き付けるので、被梱包物を容易に筒状に梱包できる。また、梱包紙に切込み手段によって被梱包物の幅とほぼ等しく離間する折曲用の切込みを入れるので、この切込みに沿って梱包紙の縁部を被梱包物の側面に向けて折り曲げ、これら折り曲げられた梱包紙の縁部どうしを、接着テープ等によって接着することによって、被梱包物の側面側の少なくとも縁部を梱包紙の縁部によって被うことができる。
【発明を実施するための最良の形態】
【００１６】
以下図面を参照して本発明の実施の形態について説明する。
図１は本発明に係る梱包装置の概略構成を示す斜視図である。この梱包装置は被梱包物Ｋを梱包する際に使用される作業台１を備えている。この作業台１は、第１作業台２と、この第１作業台２に隣接配置された第２作業台３とで構成されている。
【００１７】
第１作業台２は、そのテーブル２ａが昇降可能に設けられたものであり、該テーブル２ａを第２作業台３のテーブル３ａと同じ高さにして設置されている。
第２作業台３のテーブル３ａには、支持アーム４，４が下方に垂下し、かつ互いに平行離間して設けられており、これら支持アーム４，４の下端部には、回転軸５が回転自在に支持されている。この回転軸５には梱包紙としての巻ダンボール６がロール状に巻き付けられている。
【００１８】
また、第２作業台３の脚部３ｂ，３ｂには、第１作業台２側に延出する支持アーム７，７が平行離間して設けられおり、これら支持アーム７，７には、ガイドローラ８が回転自在に取り付けられている。また、支持アーム７，７の先端部には、巻ダンボール６に切込みを入れる切込み手段１０が設けられている。
この切込み手段は、図２に示すように、前記支持アーム７，７の先端部に回転自在に支持された回転軸１１と、この回転軸１１に取り付けられた一対の円板状刃物１２，１２とを備えている。円板状刃物１２，１２はドーナツ盤状に形成されており、その中央部の孔に回転軸１１が挿通されている。
円板状刃物１２，１２は、被梱包物Ｋの幅方向に離間しており、その離間距離を調整可能に設けられている。すなわち、前記回転軸１１には、離間距離調整区間において雄ねじ部１３，１３が形成されており、各雄ねじ部１２に左右一対のナット１４，１４が螺合されており、これらナット１４，１４によって円板状刃物１２が挟まれた状態となっている。したがって、ナット１４，１４を回転させて、その位置（回転軸１１の軸方向の位置）を調整することによって、円板状刃物１２，１２は、その離間距離を調整可能となっている。
また、円板状刃物１２，１２は、前記ガイドローラ８の下端より上方に配置され、ガイドローラ８は、ロール状の巻ダンボール６の上端より下方に配置されている。これによって、引き出された巻ダンボール６には、所定のテンションがかかるようになっている。
【００１９】
また、第２作業台３は、前記支持アーム７，７より前記第１作業台２側に延出する延出テーブル３ｃが設けられており、この延出テーブル３ｃは前記テーブル３ａと面一となっている。この延出テーブル３ｃには、前記巻ダンボール６を作業台２，３上に引き出し可能とする引出口１５が形成されている。この引出口１５は上下に貫通する四角形状の孔であり、延出テーブル３ｃの幅方向に亙って長尺に形成されている。この引出口１５の下方近傍に前記切込み手段１０が配置されている。
さらに、第２作業台３のテーブル３ａには、図３に示すように、ローラ１６が複数取り付けられており、これらローラ１６の上部はテーブル３ａの上面より若干突出している。そして、これらローラ１６上に被梱包物Ｋが載せられて、ローラ１６が回転しつつローラ１６上を移動することによって、該被梱包物Ｋが図３において左右に移動可能となっている。
【００２０】
次に、上記構成の梱包装置を用いて被梱包物Ｋを巻ダンボール６によって梱包する方法について説明する。
まず、図３に示すように、第１作業台２のテーブル２ａに被梱包物Ｋを載置したうえで、巻ダンボール６を引出口１５から引き出してその先端部を被梱包物Ｋの上面に固定しておく。この固定は、例えば作業者が引き出された巻ダンボール６の先端部を被梱包物Ｋの上面に押え付けることにより行うが、巻ダンボール６の先端部を接着テープ等によって被梱包物Ｋに仮止めしておいてもよい。
また、巻ダンボール６を引出口１５から引き出す際に、該巻ダンボール６は、ガイドローラ８を通って、切込み手段１０の円板状刃物１２，１２に当たるので、この円板状刃物１２，１２によって、巻ダンボール６の上面には、引出し方向に沿って所定深さでかつ被梱包物Ｋの幅とほぼ等しく離間する折曲用の切込みが入れられる。
【００２１】
次に、図４に示すように、巻ダンボール６の先端部を被梱包物Ｋの上面に固定した状態で、該被梱包物Ｋを引出口１５を挟んで第１作業台２から第２作業台３へ移動させる。すると、この被梱包物Ｋの移動にともなって、巻ダンボール６がさらに引き出されるとともに、この引き出された巻ダンボール６が被梱包Ｋの一方の端面と下面とを被うように巻き付けられる。なお、被梱包物Ｋが第２作業台３のテーブル３ａに移動すると、ローラ６が回転しつつ該ローラ６上を移動していくので、軽い力で容易に被梱包物Ｋを移動させることができる。
そして、さらに被梱包物Ｋを移動させることによって、被梱包物Ｋの他方の端面を被うに十分となるように巻ダンボール６を引き出す。また、このように巻ダンボール６を引き出す際に、該巻ダンボール６には、切込み手段１０の円板状刃物１２，１２によって引出し方向に沿って所定深さでかつ被梱包物の幅とほぼ等しく離間する折曲用の切込みＳ，Ｓが入れられる（図６（ａ）参照）。
次に、図６（ａ）に示すように、引き出された巻ダンボール６の所定の位置をカッター等によって切断したうえで、図６（ｂ）に示すように、この巻ダンボール６の端部で被梱包物Ｋの他方の端面を被うようにして、該巻ダンボール６の端部を被梱包物Ｋの上面の巻ダンボール６に、接着テープ等によって接着する。このようにして、被梱包物Ｋを容易に筒状に梱包できる。
【００２２】
そして、被梱包物Ｋを筒状に梱包した巻ダンボール６には、被梱包物Ｋの幅とほぼ等しく離間する折曲用の切込みＳが形成されているので、この切込みＳに沿って巻ダンボール６の縁部６ａを被梱包物Ｋの側面に向けて折り曲げ、これら折り曲げられた巻ダンボール６の縁部６ａ，６ａどうしを、接着テープ１７等によって接着することによって、被梱包物Ｋの側面側の縁部を巻ダンボール６の縁部によって被うことができる。
なお、被梱包物Ｋの側面側を全て被いたい場合は、巻ダンボール６の縁部６ａの幅を広くして、該縁部６ａによって被えばよい。
【００２３】
このように、本実施の形態によれば、巻ダンボール６によって、異なる長さの被梱包物Ｋを容易に筒状に梱包できるとともに、被梱包物Ｋの側面側の縁部を巻ダンボール６の縁部６ａによって容易に被うことができる。
また、切込み手段１０が一対の円板状刃物１２，１２を備えているので、巻ダンボール６を引き出す際に、円板状刃物１２，１２によって、折曲用の切込みＳ，Ｓを容易に連続的に形成することができる。
さらに、一対の円板状刃物１２，１２の離間距離を調整することができるので、異なる幅の被梱包物Ｋに対して折曲用の切込みＳ，Ｓを入れることができる。
また、第２作業台３に、巻ダンボール６、引出口１５、切込み手段１０が設けられているので、第１作業台２の代わりに、被梱包物Ｋを載置できれば、どのような台を使用することができる。したがって、適当な台に、第２作業台３を隣接して設置するだけで、梱包装置を構成することができる。
【００２４】
なお、本実施の形態では、被梱包物Ｋを第１作業台２に載置してから、第２作業台３に移動させることによって、被梱包物Ｋに巻ダンボール６を巻き付けるようにしたが、これとは逆に、被梱包物Ｋを第２作業台３に載置してから、第１作業台２に移動させることによって、被梱包物Ｋに巻ダンボール６を巻き付けてもよい。
【図面の簡単な説明】
【００２５】
【図１】本発明に係る梱包装置の一例を示すもので、梱包装置の概略構成を示す斜視図である。
【図２】同、切込み手段を示す正面図である。
【図３】同、第１作業台に被梱包物を載置した状態を示す梱包装置の断面図である。
【図４】同、第２作業台に被梱包物を移動させた状態を示す梱包装置の断面図である。
【図５】同、第２作業台上の被梱包物を梱包した状態を示す梱包装置の断面図である。
【図６】本発明に係る梱包装置の第２作業台上で被梱包物を梱包する方法を説明するための斜視図である。
【符号の説明】
【００２６】
１  作業台
２  第１作業台
３  第２作業台
６  巻ダンボール（梱包紙）
１０  切込み手段
１２  円板状刃物
１５  引出口
１６  ローラ
Ｋ  被梱包物
Ｓ  切込み
【図１】
0004825048.tif 000002
【図２】
0004825048.tif 000003
【図３】
0004825048.tif 000004
【図４】
0004825048.tif 000005
【図５】
0004825048.tif 000006
【図６】
0004825048.tif 000007